(57)【特許請求の範囲】
【請求項１】
２つの平行な側辺部と、前記側辺部の上端部に連続して横方向に延びる上辺部と、前記側辺部の下端部に連続して横方向に延びる下辺部とからなるほぼ矩形形状を有し、全体が繊維強化樹脂の成形品により構成された遊戯機械取り付け用枠であって、前記上辺部と前記下辺部の各々、及び前記２つの側辺部の少なくとも１つは、断面形状が、ほぼ平坦な前面を底部とする溝型断面であり、前記溝型断面の側壁は、各辺部の外側に位置する側壁が内側に位置する側壁より高さが高くなるように形成され、前記溝型断面を有する各辺部には、前記溝型断面内において、各辺部の長さ方向に間隔をもって、前記外側に位置する側壁と前記内側に位置する側壁との間に延びる壁状の補強リブが形成され、前記溝型断面を有する各辺部の前記溝型断面の内面には、前記各辺部の外側に位置する側壁と前記底壁との交差部に沿って、前記辺部の長さ方向に延びるように補強肉盛り部が形成されたことを特徴とする遊戯機械取り付け用枠。
【発明の詳細な説明】
【０００１】
【産業上の利用分野】
本発明は、パチンコ機械のような遊戯機械を遊戯場の取り付け梁等に取り付けるための取り付け用枠に関する。
【０００２】
【従来技術】
パチンコ機械は、遊戯場の取り付け梁等に横方向に多数を並べて取り付けている。この取り付けには、矩形状の取り付け枠が使用される。すなわち、取り付け枠を梁等の支持構造に予め取り付けておき、この支持枠に設けたヒンジ金具に遊戯機械の一方の縦辺を取り付けて、該遊戯機械を垂直軸まわりに回動可能に支持する。遊戯機械は、通常は、取り付け枠に設けた取り付け金具により該取り付け枠に固定され、調整又は修理等のために必要があるときは、取り付け金具により固定を解放してヒンジ金具のヒンジ軸まわりに回動させ、機械の裏側を点検できるようにする。
【０００３】
従来、この遊戯機械の取り付けのために用いられている取り付け枠は、木製であった。その理由は、遊戯機械の支持のために要求される強度及び剛性から、プラスチック製は不適当と考えられていたことと、金属製は木製に比べて高価につくことである。
【０００４】
【発明が解決しようとする課題】
本発明は、プラスチック材料を使用しても所要の強度及び剛性を確保できる構造を提供して、従来不適当と考えられていたプラスチック材料により遊戯機械取り付け用枠の製造を可能とすることを解決すべき課題とする。
【０００５】
【課題を解決するための手段】
上記課題を解決するため、本発明においては、遊戯機械取り付け用枠を繊維強化樹脂により製造する。繊維強化樹脂を使用することにより、通常の樹脂による構造と比較して、枠の剛性を或る程度高めることができる。枠の射出成形を可能にするためには、繊維強化樹脂は、１ないし数mm程度に細断した繊維を樹脂に混合して使用することが好ましい。強化繊維としてはガラス繊維が好ましいが、炭素繊維や他の強化繊維を使用することもできる。繊維強化樹脂の使用により枠の剛性を或る程度高めることはできるが、遊戯機械の取り付け枠としては、なお剛性が十分でない。したがって、本発明では、枠に特別の補強構造を採用する。すなわち、本発明による遊戯機械取り付け用枠は、２つの平行な側辺部と、該側辺部の上端部に連続して横方向に延びる上辺部と、側辺部の下端部に連続して横方向に延びる下辺部とからなるほぼ矩形形状を有し、上辺部、下辺部及び２つの側辺部の少なくとも１つは、断面形状が、ほぼ平坦な前面を底部とする溝型断面とする。溝型断面の側壁は、各辺部の外側に位置する側壁が内側に位置する側壁より高さが高くなるように形成し、各辺部には溝型断面内において、各辺部の長さ方向に間隔をもって、外側に位置する側壁と内側に位置する側壁との間に延びる壁状の補強リブを形成する。また、溝型断面を有する各辺部の溝型断面の内面には、各辺部の外側に位置する側壁と底壁との交差部に沿って、該辺部の長さ方向に延びるように補強肉盛り部を形成する。
【０００６】
本発明の好ましい形態においては、上辺部は下辺部より幅を小さく形成し、上辺部と両側辺部とが交差する部分の隅部には３角形の補強壁を上辺部と両側辺部の前面に連続するように形成する。さらに、下辺部と前記１つの側辺部に、遊戯機械取り付けのための取り付け金具が設ける。この取り付け金具は、遊戯機械を垂直方向のヒンジ軸まわりに回動自在に取り付けることができるヒンジ金具とすることが好ましい。また、２つの側辺部のうちの他方は実質的に１つの壁により構成し、この壁に遊戯機械の縁部の背面を受ける受け金具を取り付ける構成とすることが好ましい。
【０００７】
【作用】
本発明の上記構成により、遊戯機械の支持に必要な強度と剛性を確保できることが確認された。とくに、遊戯機械取り付け用枠を、２つの平行な側辺部と、該側辺部の上端部に連続して横方向に延びる上辺部と、側辺部の下端部に連続して横方向に延びる下辺部とからなるほぼ矩形形状を有し、上辺部、下辺部及び２つの側辺部の少なくとも１つは、断面形状が、ほぼ平坦な前面を底部とする溝型断面とすること、溝型断面の側壁を、各辺部の外側に位置する側壁が内側に位置する側壁より高さが高くなるように形成し、各辺部には溝型断面内において、各辺部の長さ方向に間隔をもって、外側に位置する側壁と内側に位置する側壁との間に延びる壁状の補強リブを形成すること、及び、溝型断面を有する各辺部の溝型断面の内面には、各辺部の外側に位置する側壁と底壁との交差部に沿って、該辺部の長さ方向に延びるように補強肉盛り部を形成することにより、補強効果が一層高められ、枠の重量を抑えながら十分な剛性の枠構造を得ることができる。そして、この補強構造を備える辺部に遊戯機械を取り付ける金具を設けるので、２つの側辺部のうちの１つに補強構造を設けなくても十分な剛性を確保できる。したがって、補強構造を設けない側辺部は、単純な壁からなる構造とし、遊戯機械をヒンジ軸まわりに回動させるときに枠の辺部が支障とならないようにすることができる。
【０００８】
【実施例】
以下、本発明の一実施例を図について説明する。図１は、遊戯機械取り付け用枠の使用状態を示す概略図である。遊戯場に設けた機械支持梁１に遊戯機械取り付け用枠２が取り付けられる。この取り付け枠２に対してパチンコ機械のような遊戯機械３が取り付けられる。遊戯機械３は、縦方向のヒンジ軸４まわりに回動可能なように取り付け枠２に取り付けられる。遊戯機械３の前面は図１に示すように取り付け枠２から前方に突出しており、主体部は取り付け枠２の枠内から後方に入り込んだ状態で収容される。
【０００９】
図２は、本発明による遊戯機械取り付け用枠２の一実施例を示すものである。取り付け枠２は、２つの平行な側辺部２１ａ、２１ｂと、該側辺部２１ａ、２１ｂの上端に連続して横方向に延びる上辺部２２、及び該側辺部２１ａ、２１ｂの下端に連続して横方向に延びる下辺部２３からなる矩形形状を有する。取り付け枠２は、全体が繊維強化樹脂により一体に成形される。樹脂としては、スチレンアクリロニトリル樹脂、アクリロニトリルブタジエンスチレン樹脂ポリスチレン樹脂、ポリカーボネート樹脂ポリフエニレンオキサイド樹脂等をもちいることが好ましい。強化繊維としては、ガラス繊維、炭素繊維、炭酸カルシウム等を用いることができる。枠２を樹脂の射出成形により製造できるようにするためには、強化繊維を１ないし数mm程度に細断して樹脂に混合することが好ましい。
【００１０】
図３は、図２に示す取り付け枠２のＡ部を背面からみた図であり、図４は、図３のIV−IV線における断面図である。図４に示すように、側辺部２１ａは、前面壁３０を底とし、取り付け枠２の外側に位置する側壁３１と取り付け枠２の内側に位置する側壁３２を備える溝型の断面形状を有する。図３に示すように、側辺部２１ａの長さ方向に間隔をもって補強構造３３が設けられ、該補強構造３３に対し１つ置きに補強壁３４が形成されている。補強構造３３は、図４に示すように、溝型断面の２つの側壁３１、３２の間に延びる補強壁３３ａと該補強壁３３ａと一体に形成され、溝の深さ方向に延びる中空筒形状の補強柱３３ｂとからなる。この補強構造３３、とくに補強柱３３ｂの存在により側辺部２１ａの剛性が飛躍的に高められる。補強壁３４は、図５に示すように、溝型断面の２つの側壁３１、３２の間に延びるように形成され、上縁は、側壁３１、３２の上縁の間に渡って延びる。外側の側壁３１と前面壁３０の交差部における内面隅部には、側辺部２１ａの長さ方向に沿って補強肉盛り部３５が形成されている。上辺部２２も側辺部２１ａと同じ構造を有する。
【００１１】
図３に示すように、側辺部２１ａが上辺部２２と交差する隅部では、３角形の補強壁３６が形成される。この補強壁３６は、側辺部２１ａの前面壁３０及び上辺部２２の対応する前面壁と同一平面内に位置するように形成される。この３角形の補強壁３６が形成される部分では、溝型断面はなく、外側の側壁３１と隅部の補強肉盛り部３５のみが連続して形成される。側辺部２１ａ及び上辺部２２の溝型断面部の終わりの位置では、図５に示すのと同様な補強リブ３４が形成される。
【００１２】
図６は、図２に示す取り付け枠２のＢで囲む部分を背面からみた図である。側辺部２１ｂと上辺部２２が交差する部分には、図３に示す構造におけると同様に３角形の補強壁３６が形成されている。側辺部２１ｂは、３角形の補強壁３６の端部から若干の距離にわたっては、他方の側辺部２１ａと同様な溝型の断面形状を有しており、この部分では、外側側壁と前面壁の交差部内面に補強肉盛り部３５が形成され、両端部に図５に示す補強壁３４が形成されている。補強壁３４の間には、図４に示す補強構造３３が形成されている。
【００１３】
側辺部２１ｂの主体部は、側辺部２１ａとは異なる断面形状を有する。すなわち、図７に示すように、前面壁３７が大部分、枠２の内方に位置する側から切り欠かれ、わずかな幅だけ残されている。また、図４の構造における側壁３２に相当する内方の側壁を設けない形状となっている。枠２の外側に位置する側壁３８は、側辺部２１ａの側壁３１と同じ高さであり、枠２の裏側にあたる端部には、フランジ３９が形成される。側辺部２１ｂの長さ方向に間隔をもって図７に示す形状の補強リブ４０が形成される。
【００１４】
図８は、図２に示す取り付け枠２のＣで囲む部分を裏からみた図である。下辺部２３は上辺部２２より大きな幅を有し、端部で側辺部２１ｂに連続している。側辺部２１ｂは、上端部におけると同様に、若干の距離にわたって、他方の側辺部２１ａと同様な溝型の断面形状を有しており、外側側壁と前面壁との交差部内面に補強肉盛り部３５を有するほか、両端部に図５に示す補強壁３４が形成されている。補強壁３４の間には、図４に示す補強構造３３が形成されている。
【００１５】
下辺部２３は、図９に示す断面形状で、前面壁４１が底部となる溝型形状に形成される。前面壁４１の上縁に上側の側壁４２が、下縁に下側の側壁４３が、それぞれ形成される。下辺部２３の長さ方向に間隔をもった位置で、側壁４２、４３間にわたって平坦な壁形状の補強リブ４４が形成され、該側壁４２、４３間で補強リブ４４と一体に中空円筒状の補強柱４５が形成されている。前面壁４１と下側の側壁４３との間の交差部内面には、補強肉盛り部３５が形成される。
【００１６】
図１０は、図２に示す取り付け枠２のＣで囲む部分を裏からみた図である。下辺部２３は側辺部２１ａに連続して形成されている。図１１及び図１２に示すように、下辺部２３の前面壁４１は、側辺部２１ａ、２１ｂの前面壁より前方に突出して位置する。そして、これらの図に示すように、側辺部２１ａに連続する下辺部２３の端部には、その上面となる側壁４２上に遊戯機械取り付け用のヒンジ金具４６が取り付けられている。ヒンジ金具４６は、垂直方向のヒンジ軸線４８を定めるように垂直方向に延びるヒンジピン４７を有する。
【００１７】
図３を参照すると、３角形の補強壁３６の位置において、外側壁３１に遊戯機械取り付け用ヒンジ金具５０が取り付けられている。このヒンジ金具５０は、図１３に示すように、前面壁３０から前方に突出した位置に耳金具５１を有し、この耳金具５１に、ヒンジ金具４６のヒンジピン４７と垂直方向に整列するヒンジ孔５２を備える。ヒンジ孔５２の中心は、ヒンジ軸４８を定める。遊戯機械３は図１１及び図１３に示す位置にヒンジ金具４６、５０により支持され、調整や修理のためにヒンジ軸４８まわりに回動させることができる。
【００１８】
図８、図９に示すように、下辺部２３の上側側壁４３の左側寄りの位置には、遊戯機械３の下面を受けるための受け金具５３が取り付けられる。また、図６、図７に示すように、側辺部２１ｂには、前面壁３７より背面側に引っ込んだ位置で、遊戯機械３の側部を受ける受け金具５４が設けられる。同様な受け金具５４は、側辺部２１ｂの他の位置にも設けることができる。使用状態では、遊戯機械３は下面がヒンジ金具４６の上面及び受け金具５３により支持され、左側の背面が受け金具５４に受けられる。調整や修理のために遊戯機械３の裏側を見る必要が生じたときは、遊戯機械３を図に破線で示す位置からヒンジ軸４８まわりに回動させて開いた状態とする。
【００１９】
【効果】
本発明のこの構成により、プラスチック材料を使用して安価に遊戯機械取り付け用枠を製造することができる。本発明による遊戯機械取り付け用枠は、強度及び剛性の点で木製の枠と遜色がなく、かつ製造が容易であり、安価である。
【図面の簡単な説明】
【図１】  遊戯機械取り付け用枠の使用状態を示す斜視図。
【図２】  本発明による遊戯機械取り付け用枠の一実施例を示す斜視図。
【図３】  図２のＡ部を裏側からみた部分背面図。
【図４】  図３のIV−IV線における断面図。
【図５】  図３のＶ−Ｖ線における断面図。
【図６】  図２のＢ部を裏側からみた部分背面図。
【図７】  図６のVII −VII 線における断面図。
【図８】  図２のＣ部を裏側からみた部分背面図。
【図９】  図８のIX−IX線における断面図。
【図１０】図２のＡ部を裏側からみた部分背面図。
【図１１】図１０のXI-XI 線における断面図。
【図１２】図１０のXI-XII線における断面図。
【図１３】図３のXIII-XIII における断面図。
【符号の説明】
２・・・・遊戯機械取り付け用枠、３・・・・遊戯機械、２１ａ、２１ｂ・・・・側辺部、２２・・・・上辺部、２３・・・・下辺部、３０・・・・前面壁、３１・・・・外側側壁、３２・・・・内側側壁、３３ａ・・・・補強壁、３３ｂ・・・・補強柱、４６、４７・・・・ヒンジ金具。
【図１】
0003751877.tif 000002
【図２】
0003751877.tif 000003
【図３】
0003751877.tif 000004
【図４】
0003751877.tif 000005
【図５】
0003751877.tif 000006
【図６】
0003751877.tif 000007
【図７】
0003751877.tif 000008
【図８】
0003751877.tif 000009
【図９】
0003751877.tif 000010
【図１０】
0003751877.tif 000011
【図１１】
0003751877.tif 000012
【図１２】
0003751877.tif 000013
【図１３】
0003751877.tif 000014